(57)【特許請求の範囲】
【請求項１】
一方のコネクタのハウジング内に収容したバネ部材の反発力でコネクタ相互の中途嵌合が防止されると共に、前記ハウジング内で摺動可能でかつ他方のコネクタとの嵌合時に前記バネ部材と協動して前記ハウジング内に設けられたロックアームを前記他方のコネクタに係止させるスライダーが該スライダー本体の両側部を案内するガイド溝を有するスライダー収容部に収容されており、前記他方のコネクタのハウジング上に前記スライダーの当接突起に当接する一対のストッパ突起と、該ストッパ突起間に傾斜面を有する傾斜突起と、該傾斜突起の後端に係合溝とを備えている一組の雌雄コネクタのコネクタ嵌合構造において、
前記ハウジング上にスライダー本体の先端部を一時的に上方に逃がすための切欠部が設けられており、該切欠部の前端縁に前方下がりのテーパ面を有すると共に、前記ストッパ突起が前方下がりのテーパ面を前端面に有しており、
前記コネクタ嵌合時に前記スライダーが、前記バネ部材の反発力に抗して前記ハウジング後方の所定位置まで移動してから、前記スライダー本体の先端部が上方の前記切欠部内に逃げることで、前記当接突起と前記ストッパ突起との当接状態が解除されることを特徴とするコネクタ嵌合構造。
【発明の詳細な説明】
【０００１】
【発明の属する技術分野】
本発明は、相互に嵌合接続される一組の雌雄コネクタの少なくとも一方のコネクタに装着したバネ部材の反発力により中途嵌合を確実に防止すると共に、相手コネクタとの嵌合ロックを確実に行うためのコネクタ嵌合構造に関する。
【０００２】
【従来の技術】
通常、自動車等の車両には、様々な電子機器が搭載されており、当然のことながらワイヤーハーネス等を構成する各種電線の接続端部には様々な構成の雌雄コネクタが使用されている。
この雌雄コネクタの中途嵌合状態を検知できる半嵌合防止コネクタに関しても種々なものが使用されており、例えば、実開平５−８１９６７号公報等に開示されている半嵌合防止コネクタが知られている。
【０００３】
この半嵌合防止コネクタは、複数のピンコンタクトを内部に列設したピン側コネクタと、複数のソケットコンタクトを内部に列設したソケット側コネクタとから構成されており、雌側コネクタのハウジング外側には、可動カバーが前後に移動可能に覆っている。この可動カバーの両側部には、バネ収容部が付設され、その内部には前後方向に圧縮バネが収容されている。
しかし、この半嵌合防止コネクタでは、圧縮バネの反発力で中途嵌合を防止することはできるが、双方のコネクタを嵌合する際に可動カバーの両側面を持って嵌合しようとすると、可動カバーが動かなくなり、嵌合時の作業性が悪いという問題がある。
【０００４】
本出願人は、特開平１０−５０４０８号公報等で上記問題を解決するコネクタ嵌合構造を提案している。
図９及び図１０に示した雄コネクタ１Ａは、そのハウジング３が端子収容室を備えたコネクタハウジング３ａと、その上部に後述するスライダー１０Ａを摺動可能に装着するためのスライダー収容部４を形成する専用ハウジング３ｂとから構成されている。この専用ハウジング３ｂの両側端にはスライダー１０Ａ本体の両側部を案内するガイド溝５が設けられていると共に、該ガイド溝５の後端に筒状のバネ収容部３ｃが設けられている。
【０００５】
この専用ハウジング３ｂの中央には嵌合方向に沿って可撓する自由端部を有するロックアーム６が一体的に設けられている。このロックアーム６は、その上部に傾斜面を有するロックビーク７を備え、その先端下部には相手コネクタに係止されるハウジングロック８が設けられている。また、ハウジングロック８に対峙した上部にはロックアーム６自体の変位を阻止するための変位防止突起８ａが形成されている。そして、このロックアーム６の両側にスライダー１０Ａの一部を挿入するための側方空間４ａが設けられている。
【０００６】
また、スライダー１０Ａは、前方下部の両側端に一対の当接突起１４を有しかつ可撓するスライダーアーム１２がスライダー本体１１内の略中央に設けられている。そして、上部後端に嵌合解除時に操作する押圧部１５と、スライダーアーム１２と押圧部１５に跨がるスライド溝１３と、下部後端の両側に圧縮バネ９を保持するバネ受け部１６とを備えている。また、スライダー本体１１の前端にはロックアーム６の変位を阻止するための変位防止部１７が形成されている。
【０００７】
また、図１１に示した他方の雌コネクタ２Ａは、端子収容室を備えたハウジング２１上の一面にコネクタ嵌合時にスライダー１０Ａの当接突起１４に当接する一対のストッパ突起２２Ａと、該ストッパ突起間にロックアーム６を撓ませるための傾斜面を有する傾斜突起２３と、該傾斜突起の後端にハウジングロック８を係合する係合溝２４が設けられている。
【０００８】
上述した雌雄コネクタの嵌合操作手順は、図９に示したように雄コネクタ１Ａ前方からスライダー収容部４内に圧縮バネ９をバネ受け部１６に保持したスライダー１０Ａが押し込まれると、スライダー本体１１がガイド溝５内を後方に移動する。この時、スライダーアーム１２下端に設けられた当接突起１４がロックアーム６の両側に設けられた側方空間４ａ内に配置される。そして、バネ収容部３ｃ内に圧縮バネ９が収容されると共に、スライド溝１３内にロックビーク７が嵌まり込むことでスライダー１０Ａが摺動可能な状態に装着される。
【０００９】
図１０に示したように前記状態では、圧縮バネ９の反発力によってスライダー１０Ａは前方に付勢されており、押圧部１５前端がスライド溝１３内のロックビーク７に係止されると共に、ロックアーム６先端の変位防止突起８ａがスライダー１０Ａ前端下面の変位防止部１７に当接することでロックアーム６の上方への変位が阻止される。
【００１０】
次に、図１１に示したように雌雄コネクタの嵌合操作を開始すると、雌コネクタ２Ａのストッパ突起２２Ａが雄コネクタ１Ａのロックアーム６両側の側方空間４ａ（図９参照）内に挿入され、ストッパ突起２２Ａがスライダー１０Ａの当接突起１４に当接する。この当接時点から圧縮バネの反発力が発生する。なお、この段階では雄コネクタ１Ａ側のソケットコンタクト３０内には雌コネクタ２Ａ側のピンコンタクト３１は嵌挿されていない。
【００１１】
そして、さらに嵌合操作が進むことで圧縮バネに抗してスライダー１０Ａが後方に押し込まれ、ロックアーム６先端のハウジングロック８が雌コネクタ２Ａの傾斜突起２３に当接する。仮に、この中途嵌合状態で押し込み動作を停止すると圧縮バネ９の反発力で嵌合方向とは逆の離脱方向に双方の雌雄コネクタ１Ａ、２Ａが押し戻され、中途嵌合状態を容易に検知することができる。
【００１２】
次に、図１２に示したように、さらに嵌合操作が進むと、スライダー１０Ａのスライダーアーム１２がロックビーク７により上方に撓まされることでストッパ突起２２Ａとスライダー１０Ａの当接突起１４との当接状態が解除される。そして、圧縮バネの反発力でスライダーアーム１２がストッパ突起２２Ａを乗り越えると共に、ロックアーム６先端のハウジングロック８が傾斜突起２３を乗り越えて係合溝２４内に係合される。
【００１３】
次に、図１３に示したように、スライダー１０Ａは圧縮バネの反発力により初期位置に復帰することで、スライダー１０Ａの変位防止部１７がロックアーム６の変位防止突起８ａに当接する。これにより、ロックアーム６がロックされ、雌雄コネクタが完全嵌合状態となり、双方のコンタクト３０、３１が完全に接続状態となる。
この完全嵌合状態は、ロックアーム６のハウジングロック８が傾斜突起２３を乗り越えるときの節度感によって検知することができると共に、復動したスライダー１０Ａの位置を目視することで容易に検知することができる。
【００１４】
【発明が解決しようとする課題】
しかしながら、上記雌雄コネクタ１Ａ、２Ａにおいては、中途嵌合状態を検知できると共に嵌合操作を簡単に行うことができるが、コネクタ嵌合に伴ってストッパ突起２２Ａからスライダー１０Ａの当接突起１４を外す際、スライダー本体１１及びスライダーアーム１２を撓ませる必要がある。したがって、雌雄コネクタ１Ａ、２Ａの嵌合を進めるコネクタ挿入力を嵌合途中から急激に高くする必要があり、嵌合作業をスムースに行うことができないという問題があった。
【００１５】
本発明の目的は、上記課題に鑑みてなされたものであり、一組の雌雄コネクタの嵌合作業時に中途嵌合状態が確実に防止されると共に、嵌合作業時に必要なコネクタ挿入力を低減することができるコネクタ嵌合構造を提供することにある。
【００１６】
【課題を解決するための手段】
本発明に係わる上記課題は、一方のコネクタのハウジング内に収容したバネ部材の反発力でコネクタ相互の中途嵌合が防止されると共に、前記ハウジング内で摺動可能でかつ他方のコネクタとの嵌合時に前記バネ部材と協動して前記ハウジング内に設けられたロックアームを前記他方のコネクタに係止させるスライダーが該スライダー本体の両側部を案内するガイド溝を有するスライダー収容部に収容されており、前記他方のコネクタのハウジング上に前記スライダーの当接突起に当接する一対のストッパ突起と、該ストッパ突起間に傾斜面を有する傾斜突起と、該傾斜突起の後端に係合溝とを備えている一組の雌雄コネクタのコネクタ嵌合構造において、
前記ハウジング上にスライダー本体の先端部を一時的に上方に逃がすための切欠部が設けられており、該切欠部の前端縁に前方下がりのテーパ面を有すると共に、前記ストッパ突起が前方下がりのテーパ面を前端面に有しており、前記コネクタ嵌合時に前記スライダーが、前記バネ部材の反発力に抗して前記ハウジング後方の所定位置まで移動してから、前記スライダー本体の先端部が上方の前記切欠部内に逃げることで、前記当接突起と前記ストッパ突起との当接状態が解除されることを特徴とするコネクタ嵌合構造によって解決することができる。
【００１８】
上記構成のコネクタ嵌合構造においては、先ず、雄コネクタの嵌合操作に先立って雄コネクタの前方からハウジング内にバネ部材を保持したスライダーを押し込む。この時、スライダー本体下部の当接突起がロックアーム両側の空間内に配置されることでスライダーがハウジング内に摺動可能な状態で装着される。
【００１９】
次に、雌雄コネクタの嵌合操作を開始すると、雌コネクタのストッパ突起が雄コネクタの空間内に挿入され、スライダーの当接突起に当接する。そして、嵌合操作が進むことでバネ部材に抗してスライダーが後方に押し込まれる。
仮に、この中途嵌合状態で押し込み動作を停止するとバネ部材の反発力で嵌合方向とは逆の離脱方向に双方の雌雄コネクタが押し戻され、中途嵌合状態を容易に検知することができる。
【００２０】
また、本発明に係わる上記構成のコネクタ嵌合構造においては、ハウジング上にスライダー本体の先端部を一時的に上方に逃がすための切欠部が設けられており、ストッパ突起の前端面と切欠部の前端縁に各々嵌合方向に対して前方下がりのテーパ面を有している。
したがって、ストッパ突起と当接状態にあるスライダーの当接突起は、ストッパ突起のテーパ面により当接中は上方に付勢されている。
そして、さらに嵌合操作を進めると、スライダーがバネ部材の反発力に抗してハウジング後方の所定位置まで移動すると、スライダー本体の先端部が一時的に上方の切欠部内に逃げ、スライダー本体の当接突起と他方のコネクタ側のストッパ突起との当接状態をスムースに解除させることができる。
【００２１】
そして、その直後、スライダー先端部はバネ部材の反発力により前方に移動してストッパ突起を乗り越えると共に切欠部前端縁のテーパ面に突き当たり、再びハウジング内に戻され、さらに前方に移動して初期位置に復帰する。
よって、スライダー本体を撓ませることなく上方に逃がすことで、双方の雌雄コネクタの嵌合作業時に必要なコネクタ挿入力を低減させ、低挿入力で完全嵌合させることができ、嵌合作業の効率を向上させることができる。
【００２２】
【発明の実施の形態】
以下、本発明のコネクタ嵌合構造の一実施形態を図１乃至図８に基づいて詳細に説明する。図１は本実施形態のコネクタ嵌合構造を示す雄コネクタ側の分解斜視図、図２は本実施形態のコネクタ嵌合構造を示す雌コネクタ側の斜視図、図３は図１におけるスライダーを組付けた状態の雄コネクタの縦断面図、図４は図２における雌コネクタクの縦断面図、図５は雌雄コネクタの嵌合初期状態を示す作動説明図、図６は雌雄コネクタの嵌合途中状態を示す作動説明図、図７は雌雄コネクタの嵌合完了状態を示す作動説明図、図８は雌雄コネクタのコネクタ挿入力を示すグラフである。
【００２３】
図１に示すように本実施形態のコネクタ嵌合構造を構成する一組の雌雄コネクタ１、２の内、一方の雄コネクタ１は、そのハウジング３が所定数のソケットコンタクトを嵌入する透孔である端子収容室を備え、前方に開口したターミナル挿入口を備えたコネクタハウジング３ａと、その上部に後述するスライダー１０を摺動可能に装着するための専用ハウジング３ｂとから構成されている。
【００２４】
この専用ハウジング３ｂは、スライダー１０を収容するスライダー収容部４を形成するためのものであり、嵌合方向に沿って上方に開口している。この専用ハウジング３ｂの両側端にはスライダー本体１１の両側部を案内するガイド溝５が設けられていると共に、該ガイド溝５の後端に筒状のバネ収容部３ｃが設けられている。
また、その開口の両側端縁の所定位置には、スライダー本体１１の先端部１１ａを一時的に上方に逃がすための切欠部３３が設けられている。この切欠部３３の前端縁３３ａに前方下がりのテーパ面が設けられている。
【００２５】
この専用ハウジング３ｂの中央には嵌合方向に沿って片持ち型のロックアーム６が一体的に設けられている。このロックアーム６は、その上部に前方下がりの傾斜面を有するロックビーク７を備え、その先端下部には後述する雌ハウジング２１に係止されるハウジングロック８が設けられている。また、ハウジングロック８に対峙した上部にはロックアーム６自体の変位を阻止するための変位防止突起８ａが形成されている。
そして、このロックアーム６の両側に後述するスライダー１０の当接突起１４を挿入するための側方空間４ａが設けられている。
【００２６】
また、スライダー１０は、前方下部の所定位置に一対の当接突起１４、１４が設けられており、上部後端に嵌合解除時に操作する押圧部１５と、スライダー本体１１と押圧部１５に跨がって設けられたスライド溝１３と、下部後端の両側に圧縮バネ９を保持するバネ受け部１６とを備えている。また、スライダー本体１１の前端にはロックアーム６の変位を阻止するための変位防止部１７が形成されている。
【００２７】
図２及び図４に示すように、他方の雌コネクタ２は、所定数のピンコンタクトを嵌入する透孔である端子収容室を備え、前方に開口したハウジング挿入口２６を備え、そのハウジング２１上の一面にコネクタ嵌合時にスライダー１０の当接突起１４に当接する一対のストッパ突起２２と、該ストッパ突起２２、２２間に傾斜面を有する傾斜突起２３と、該傾斜突起２３の後端にハウジングロック８を係合する係合溝２４が設けられている。
そして、ストッパ突起２２の前端面に前方下がりのテーパ面２２ａが設けられており、スライダー１０の当接突起１４が当接状態にあるとき、スライダー１０を上方に付勢させるように作用する。
【００２８】
次に、上述した構成の雌雄コネクタの嵌合操作手順を説明する。
先ず、図１及び図３に示すようにスライダー１０の雄コネクタ１への組付けは、雄コネクタ１の前方からスライダー収容部４内に、圧縮バネ９をバネ受け部１６に保持したスライダー１０が押し込まれる。この時、スライダー１０の当接突起１４がロックアーム６の両側に設けられた側方空間４ａ内に配置される。そして、バネ収容部３ｃ内に圧縮バネ９が収容されると共に、スライダー１０のスライド溝１３内にロックアーム６上のロックビーク７が嵌まり込むことでスライダー１０が摺動可能な状態に装着される。
【００２９】
図３に示すように前記状態では、圧縮バネ９の反発力によってスライダー１０は前方に付勢されており、押圧部１５前端がスライド溝１３内のロックビーク７に係止されると共に、ロックアーム６先端の変位防止突起８ａがスライダー１０前端下面の変位防止部１７に当接することでロックアーム６の上方への変位が阻止される。
そして、ハウジング３後方から電線Ｗ１の端部に圧着されたソケットコンタクト３０が挿入され、端子収容室内のハウジングランスによって係止されると共に、二重係止用のホルダー３２が装着される。
【００３０】
次に、図４に示すように雌コネクタ２のハウジング２１後方から電線Ｗ２の端部に圧着されたピンコンタクト３１が挿入され、端子収容室内のハウジングランスによって係止されると共に、二重係止用のホルダー３３が装着される。また、ハウジング２１内の所定位置には特定のピンコンタクトを相互短絡させるか又は短絡状態を解除させるための短絡バネ２５が装着される。
【００３１】
次に、上述した本実施形態のコネクタ嵌合構造を構成する雌雄コネクタ１、２の嵌合作用について説明する。
図５に示すように雌雄コネクタの嵌合操作を開始すると、雌コネクタ２のストッパ突起２２が雄コネクタ１のロックアーム６両側の側方空間４ａ（図１参照）内に挿入され、ストッパ突起２２がスライダー１０の当接突起１４に当接する。この当接時点から圧縮バネ９の反発力が発生すると共に前方下がりのテーパ面２２ａによりスライダー１０を上方に付勢する。なお、この段階では雄コネクタ１側のソケットコンタクト３０内には雌コネクタ２側のピンコンタクト３１は嵌挿されていない。
【００３２】
そして、嵌合操作が進むと、圧縮バネ９に抗してスライダー１０が後方に押し込まれ、ロックアーム６先端のハウジングロック８が雌コネクタ２の傾斜突起２３に当接する。この段階でピンコンタクト３１はソケットコンタクト３０内に嵌挿されるが、電気的に完全な接触状態にはない。
仮に、この中途嵌合状態で押し込み動作を停止すると圧縮バネ９の反発力で嵌合方向とは逆の離脱方向に双方の雌雄コネクタ１、２が押し戻され、中途嵌合状態を容易に検知することができる。
【００３３】
次に、図６に示すように、さらに嵌合操作が進むと、スライド溝１３の前端縁がロックビーク７の傾斜面上に乗り上げ、スライダー１０の前方を上方に移動させることで、ストッパ突起２２とスライダー１０の当接突起１４との当接状態を解除させる。この時、スライダー先端部１１ａが上方の切欠部３３内に一時的に逃げるため、スライダー１０前方をスムースに上方に移動させることができる。そして、ロックアーム６先端のハウジングロック８が傾斜突起２３を乗り越えて係合溝２４内に落ち始める。
【００３４】
そして、その直後、スライダー先端部１１ａは圧縮バネ９の反発力により前方に移動してストッパ突起２２を乗り越えると共にテーパ面である切欠部３３の前端縁３３ａに突き当たる。これにより、再びスライダー収容部４内に戻され、さらに圧縮バネ９の反発力により前方に移動して初期位置に復帰すると共にハウジングロック８が係合溝２４内に係止される。
よって、スライダー本体１１を撓ませることなく上方に逃がすことで、嵌合作業時に必要なコネクタ挿入力を低減させることができる。なお、雌コネクタ２内でピンコンタクト３１と短絡状態にあった短絡バネ２５が雄コネクタ１のコネクタハウジング３ａの先端部によって短絡状態が解除される。
【００３５】
そして、図７に示すように、スライダー１０が圧縮バネ９の反発力により初期位置に復帰することで、スライダー１０の変位防止部１７がロックアーム６の変位防止突起８ａに当接する。これにより、ロックアーム６がロックされ、雌雄コネクタが完全嵌合状態となり、双方のコンタクト３０、３１が完全に接続状態となる。
この完全嵌合状態は、ロックアーム６のハウジングロック８が傾斜突起２３を乗り越えるときの節度感によって検知することができると共に、復動したスライダー１０の位置を目視することで容易に検知することができる。
【００３６】
上述したように本実施形態のコネクタ嵌合構造によれば、専用ハウジング３ｂ上にスライダー本体１１の先端部１１ａを一時的に上方に逃がすための切欠部３３が設けられており、ストッパ突起２２前端面にテーパ面２２ａを有していると共に切欠部３３の前端縁３３ａにテーパ面を有している。
したがって、ストッパ突起２２と当接状態にあるスライダー１０の当接突起１４は、ストッパ突起２２のテーパ面２２ａにより上方に付勢されている。
そして、スライド溝１３の前端縁がロックビーク７の傾斜面上に乗り上げると、スライダー先端部１１ａが切欠部３３により一時的に上方に逃げるため、スライダー前方を撓ませることなくスムースに上方に移動させることができ、ストッパ突起２２とスライダー１０の当接突起１４との当接状態を低挿入力で解除させることができる。
図８に示すように、従来の圧縮バネとスライダーを備えた雌雄コネクタ嵌合に必要な挿入力Ｆ０  に対して、本実施形態の雌雄コネクタ１、２の嵌合操作時に必要な挿入力Ｆ１  は急激に増加することなく、低挿入力で完全嵌合させることができることを示している。
【００３７】
そして、その直後、スライダー先端部１１ａは圧縮バネ９の反発力により前方に移動してストッパ突起２２を乗り越えると共に切欠部３３の前端縁３３ａのテーパ面に突き当たり、再びスライダー収容部４内に戻され、さらに前方に移動して初期位置に復帰する。よって、嵌合作業時に必要なコネクタ挿入力を低挿入力で行うことができ、嵌合作業の効率を向上させることができる。
【００３８】
なお、本発明のコネクタ嵌合構造は上記実施形態に限定されるものでないことは言うまでもなく、他の実施形態にも適用することができる。即ち、本実施形態では、雄コネクタ側にスライダー収容用の専用ハウジングを設け、雌コネクタ側にストッパ突起等を設けたが、雌コネクタ側に専用ハウジングを設けると共に雄コネクタ側にストッパ突起等を設ける本実施形態とは逆構成のコネクタ嵌合構造も可能である。
【００３９】
【発明の効果】
以上説明したように本発明のコネクタ嵌合構造によれば、ハウジング上にスライダー本体の先端部を一時的に上方に逃がすための切欠部が設けられており、コネクタ嵌合時にスライダーがバネ部材の反発力に抗してハウジング後方の所定位置まで移動してから、スライダー本体の先端部が上方の切欠部内に逃げることで、当接突起とストッパ突起との当接状態が解除される。
また、前記ストッパ突起が前方下がりのテーパ面を前端面に有すると共に前記切欠部の前端縁に前方下がりのテーパ面を有している。
したがって、ストッパ突起と当接状態にあるスライダーの前方は、ストッパ突起のテーパ面により上方に付勢されており、スライダー先端部が上方の切欠部内に一時的に逃げるため、スライダー前方をスムースに上方に移動させることができる。また、その直後、スライダー先端部はストッパ突起を乗り越えると共に切欠部の前端縁に突き当たり、再びスライダー収容部内に戻され、さらに前方に移動して初期位置に復帰する。
よって、一組の雌雄コネクタの嵌合作業時に中途嵌合状態が確実に防止されると共に、スライダー本体を撓ませることなくスライダー前方を上方に逃がすことで、嵌合作業時に必要なコネクタ挿入力を低挿入力で行うことができ、嵌合作業の効率化を図ることができる。
【図面の簡単な説明】
【図１】本実施形態のコネクタ嵌合構造の雄コネクタ側を示す分解斜視図である。
【図２】本実施形態のコネクタ嵌合構造の雌コネクタ側を示す斜視図である。
【図３】図１におけるスライダーの組付け完了状態を示す縦断面図である。
【図４】図２における縦断面図である。
【図５】本実施形態の雌雄コネクタクの嵌合初期状態を示す作動説明図である。
【図６】本実施形態の雌雄コネクタクの嵌合途中状態を示す作動説明図である。
【図７】本実施形態の雌雄コネクタクの嵌合完了状態を示す作動説明図である。
【図８】本実施形態の雌雄コネクタクの挿入力変化を示すグラフである。
【図９】従来のコネクタ嵌合構造の雄コネクタ側を示す分解斜視図である。
【図１０】図９におけるスライダーの組付け完了状態を示す縦断面図である。
【図１１】従来の雌雄コネクタクの嵌合初期状態を示す作動説明図である。
【図１２】従来の雌雄コネクタクの嵌合途中状態を示す作動説明図である。
【図１３】従来の雌雄コネクタクの嵌合完了状態を示す作動説明図である。
【符号の説明】
１        雄コネクタ
２        雌コネクタ
３ａ      コネクタハウジング
３ｂ      専用ハウジング
３ｃ      バネ収容部
４        スライダー収容部
４ａ      側方空間
５        ガイド溝
６        ロックアーム
７        ロックビーク
８        ハウジングロック
８ａ      変位防止突起
９        圧縮バネ（バネ部材）
１０        スライダー
１１        スライダー本体
１１ａ      スライダー先端部
１３        スライド溝
１４        当接突起
１５        押圧部
１６        バネ受け部
１７        変位防止部
２２        ストッパ突起
２２ａ      テーパ面
２３        傾斜突起
２４        係合溝
３３        切欠部
３３ａ      切欠部前端縁
【図１】
0003553805.tif 000002
【図２】
0003553805.tif 000003
【図３】
0003553805.tif 000004
【図４】
0003553805.tif 000005
【図５】
0003553805.tif 000006
【図６】
0003553805.tif 000007
【図７】
0003553805.tif 000008
【図８】
0003553805.tif 000009
【図９】
0003553805.tif 000010
【図１０】
0003553805.tif 000011
【図１１】
0003553805.tif 000012
【図１２】
0003553805.tif 000013
【図１３】
0003553805.tif 000014